(57)【要約】【課題】  傘の中棒に摺動可能に保持されるロクロを確実に係合できるようにする。【解決手段】  傘の中棒１に配置、外装ないし形成される傘のロクロスリーブ１１は、当該ロクロスリーブに摺動可能に保持される安全ロクロ３に形成されたソケット３３０に係合する、当該ロクロスリーブに弾性的に一体的に形成された突起１１１を有し、これによって、傘を開いたときに、ロクロスリーブに一体的に形成された突起との安全ロクロの信頼性の高い係合を高めている。【選択図】図１
2006110317.tif 000002
【特許請求の範囲】
【請求項１】
傘の中棒のトップ部に形成した上部ノッチ部にピボット式に連結される骨アセンブリがピボット式に連結されるロクロを摺動可能に保持し、前記中棒の周りを囲むように配置され当該中棒に取り付けられるロクロスリーブを有し、
前記ロクロスリーブは、当該ロクロスリーブ上に弾性的に形成された弾性突出部を含み、前記ロクロをロックして傘を開いておくために、前記ロクロスリーブの前記弾性突出部が前記ロクロに形成されたソケットに操作的に係合してなる傘のスリーブ手段。
【請求項２】
前記中棒は、入れ子式に相互に連結された複数の管を含み、
前記ロクロスリーブは、当該ロクロスリーブと前記複数の管における上層管との間に開口部を定め、
傘を閉じるときに前記中棒の前記複数の管を引っ込めると、前記複数の管が、前記ロクロスリーブ内の前記開口部の中に受け入れられてなる請求項１に記載の傘のスリーブ手段。
【請求項３】
前記骨アセンブリは、多段折畳み式であって、親骨と、受骨と、中間骨と、テール骨とを含み、
前記親骨は、前記中棒の前記上部ノッチにピボット式に連結され、
前記受骨は、前記親骨および前記ロクロのそれぞれにピボット式に連結され、
前記中間骨は、前記親骨および前記受骨のそれぞれにピボット式に連結され、
前記テール骨は、前記中間骨にピボット式に連結されてなる請求項１に記載の傘のスリーブ手段。
【請求項４】
前記弾性突出部は、当該弾性突出部をなす部分の輪郭の一部に沿ってスリットをカットすることによって、前記ロクロスリーブに一体的に形成され、傘を開いておくために前記ロクロ内の前記ソケットと係合するように前記中軸の縦軸から外方に向けて突き出てなる請求項１に記載の傘のスリーブ手段。
【請求項５】
前記ロクロは、シリンダ部と、フェルールと、円柱状カップリングとを含み、
前記シリンダ部は、前記ロクロスリーブにスライド自在に連結する中央開口を有し、
前記フェルールは、前記シリンダ部の上部に形成され、前記骨アセンブリの受骨をピボット式に連結し、
前記円柱状カップリングは、前記シリンダ部にスライド自在に連結するとともに前記シリンダ部の周りに配置され、傘を開くときに前記ロクロスリーブ上に形成された前記弾性突出部を係合するために当該円柱状カップリング内に凹所を形成してなる前記ソケットを有してなる請求項１に記載の傘のスリーブ手段。
【請求項６】
前記フェルールは、前記中央開口の周りに配置され前記ロクロスリーブにスライド自在に連結する中央リングを有し、
傘を開くために前記ロクロを持ち上げると、前記中央リングが前記弾性突出部を内方に押し下げ、前記フェルールが前記弾性突出部を通り過ぎることが許容され、それから、前記弾性突出部が前記ロクロの前記ソケットと係合するように外方に弾性的に突き出て、傘を安定して開いておくために、前記ロクロスリーブの前記弾性突出部の上に前記ロクロがロックされてなる請求項５に記載の傘のスリーブ手段。
【請求項７】
前記シリンダ部は、円柱状溝と、底部フランジと、スロットとが形成され、
前記円柱状溝は、当該円柱状溝内に前記円柱状カップリングをスライド自在に連結し、
前記底部フランジは、前記シリンダ部の底部に形成され、前記円柱状カップリングが前記シリンダ部から下方に脱落することがないように前記円柱状カップリングの移動を制限し、
前記スロットは、前記シリンダ部を貫通して切開され、傘を開くと、前記弾性突出部が前記ロクロスリーブから外方に突き出て、前記ロクロの前記円柱状カップリング内に凹所を形成してなる前記ソケットと係合してなる請求項５に記載の傘のスリーブ手段。
【請求項８】
前記円柱状カップリングは、内方拡張部と、前記ソケットとを有し、
前記内方拡張部は、前記円柱状カップリングの内壁に円周上に形成され、前記シリンダ部の円柱状溝にスライド自在に係合し、
前記ソケットは、前記内方拡張部と傾斜部との間で、前記円柱状カップリング内に凹所を形成してなり、前記傾斜部は、前記中棒の縦軸の方に向けて上方かつ内方へと傾いており、傘を閉じるために前記ロクロを降下するときに、前記弾性突出部から前記ソケットを外すために前記弾性突出部を内方へ押してなる請求項５に記載の傘のスリーブ手段。
【請求項９】
前記ロクロスリーブは、傘を閉じるときに、前記ロクロスリーブと前記中棒の上層管との間の開口部の中に前記中棒の複数の管を引っ込ませるために、前記弾性突出部から下方へ向けて突出する下部ガイド部分を有してなる請求項１に記載の傘のスリーブ手段。
【請求項１０】
前記ロクロスリーブの前記下部ガイド部分は、傘を開くために持ち上げられる前記ロクロを円滑にガイドするために、前記中棒の縦軸と第１の鋭角をなして外挿的に交差するように、前記上層管に接近するよう下方に向けてテーパが付けられてなる請求項９に記載の傘のスリーブ手段。
【請求項１１】
前記ロクロスリーブは、前記中棒の前記縦軸と第２の鋭角をなして外挿的に交差するように上方に向けてテーパが付けられ、前記上層管の外側管表面に接触するテーパ状底端部を有し、前記ロクロスリーブは、前記下部ガイド部分に切り欠かれた多数のカッティングスリットを有してなり、
前記中棒の複数の管を、当該複数の管の前記上層管と前記ロクロスリーブとの間の開口部の中に引っ込ませる際、複数の管は、前記ロクロスリーブにおけるわずかに膨張している前記下部ガイド部分によって、前記開口部の中に受け入れられるように、前記テーパ状底端部によって円滑にガイドされてなる請求項１０に記載の傘のスリーブ手段。
【請求項１２】
前記弾性突出部は、前記ロクロスリーブに一体的に形成され、前記ロクロスリーブから外方に向けて付勢され、前記中棒の縦軸から外れるように上方かつ外方へと傾けられ、傘を開いておくために、前記ロクロの前記ソケットに係合してなる請求項１に記載の傘のスリーブ手段。
【請求項１３】
前記ロクロは、当該ロクロに形成された押ボタンを含み、
前記ロクロに形成された前記ソケットは、傘を開いておくときに前記ロクロスリーブ上の前記弾性突出部と係合され、
前記弾性突出部は、傘を閉じるときに、前記押ボタンによって内方に向けて操作的に押し下げられてなる請求項１に記載の傘のスリーブ手段。
【請求項１４】
前記ロクロは、前記押ボタンの周りを囲むように配置される保護延長部と、
前記保護延長部の下部に凹所を設けてなるフィンガー凹所と、を含んでなる請求項１３に記載の傘のスリーブ手段。
【請求項１５】
前記押ボタンは、前記ロクロに弾性的に形成されてなる請求項１３に記載の傘のスリーブ手段。
【請求項１６】
前記押ボタンは、前記ロクロに摺動可能に保持されてなる請求項１３に記載の傘のスリーブ手段。
【請求項１７】
前記中棒は、当該中棒の下部に形成される下部ロクロスリーブを含み、
前記下部ロクロスリーブは、当該下部ロクロスリーブに弾性的に形成された下部弾性突出部を有し、
前記下部弾性突出部は、傘を閉じるために前記ロクロを下げたときに当該ロクロと係合してなる請求項１に記載の傘のスリーブ手段。
【請求項１８】
前記中棒は、一段の管から構成され、
前記骨アセンブリは、一段に折り畳まれる骨アセンブリから構成され、前記中棒の前記上部ノッチおよび前記ロクロスリーブに摺動可能に保持された前記ロクロのそれぞれにピボット式に連結される親骨を有してなる請求項１に記載の傘のスリーブ手段。
【請求項１９】
前記中棒は、中実の棒および中空の棒からなる群から選択されてなる請求項１８に記載の傘のスリーブ手段。
【請求項２０】
弾性的に一体的に形成される弾性突出部を有するロクロスリーブを有し、
前記ロクロスリーブによって、前記ロクロスリーブにピボット式に連結されるとともに前記ロクロスリーブに摺動可能に保持されたロクロにピボット式に連結される骨アセンブリを有する傘の中棒を形成し、
傘を開くと、前記ロクロをロックして傘を開いておくために、前記ロクロスリーブの前記弾性突出部が前記ロクロに形成されたソケットに係合してなる傘のスリーブ手段。
【発明の詳細な説明】
【技術分野】
【０００１】
本発明は、ロクロスリーブを有する、傘のスリーブ手段に関するものである。
【背景技術】
【０００２】
現代の傘の製造業においては、傘の中棒に弾性的に形成される鋭いスプリングキャッチないし留め具によって利用者の手が傷つくことを防止するために、傘の中棒に摺動可能に保持される安全ロクロを備える傾向にある。
【０００３】
これと同時に、中棒は、その上に安全ロクロを摺動可能に係合するためのものであるが、中棒にスリットを切開しないで安全および強度を維持することもまた考慮されなければならない。
【０００４】
本件出願人は、安全ロクロを備える傘を提案した（特許文献１参照）。特許文献１において用いられている部材番号をかっこを付して引用して、先に提案した安全ロクロを概説する。安全ロクロは、傘を閉じるときに、留め具ないしスプリングキャッチ（５）のキャッチ部（５３）を外すために押し下げ得る押ボタン（４）を有している。留め具（５）は、中棒の上部に固定される長いアーム部材（５２）によって形成されている。これにより、中棒にスリットを切開しないで、中棒を保護するようにしている。換言すれば、一般的な傘のシャフトに形成されるような、留め具を突出させるためのスリットをなくして、中棒の管の強度が影響されないようにしている。
【特許文献１】特開２００４−４９８６５号公報
【発明の開示】
【発明が解決しようとする課題】
【０００５】
但し、下記のような改善点がなお存している。
【０００６】
１．留め具（５）のアーム部材（５２）は、特に多段折畳み式傘のために、好ましくは、できるだけ細くないしスリムに形成されている。そのような長くて細いアームは大きな「力アーム（ｆｏｒｃｅ  ａｒｍ）」を有することになるので、傘が強い外力（強い風の力のような外力）を受けるときに振動の力が増大され、キャッチ部（５３）がロクロ（３）から外れてしまって、傘が予想外に閉じられてしまう虞がある。
【０００７】
２．留め具（５）の細いアーム（５２）は変形し易いので、傘を開いたときに、キャッチ部（５３）のロクロ（３）との信頼性が高い係合に影響を与える虞がある。
【０００８】
３．留め具（５）のアームはシャフトの外側で外に形成されているので、傘の中棒の装飾的な外観に影響を及ぼす虞がある。
【０００９】
本発明の目的は、傘の中棒に摺動可能に保持されるロクロを確実に係合し得る、傘のスリーブ手段を提供することにある。
【課題を解決するための手段】
【００１０】
本発明の目的は、傘の中棒に配置、外装ないし形成される傘のロクロスリーブを有する、傘のスリーブ手段を提供することにあり、ロクロスリーブは、当該ロクロスリーブに摺動可能に保持される安全ロクロに形成されたソケットに係合する、当該ロクロスリーブに弾性的に一体的に形成された突起を有し、これによって、傘を開いたときに、ロクロスリーブに一体的に形成された突起との安全ロクロの信頼性の高い係合を高めている。
【００１１】
上記目的を達成するための請求項１に記載の発明は、傘の中棒のトップ部に形成した上部ノッチ部にピボット式に連結される骨アセンブリがピボット式に連結されるロクロを摺動可能に保持し、前記中棒の周りを囲むように配置され当該中棒に取り付けられるロクロスリーブを有し、
前記ロクロスリーブは、当該ロクロスリーブ上に弾性的に形成された弾性突出部を含み、前記ロクロをロックして傘を開いておくために、前記ロクロスリーブの前記弾性突出部が前記ロクロに形成されたソケットに操作的に係合してなる傘のスリーブ手段である。
【発明の効果】
【００１２】
本発明によれば、傘の中棒に摺動可能に保持されるロクロを確実に係合することが可能となる。
【発明を実施するための最良の形態】
【００１３】
図１〜図３には、多段折畳み式傘に形成するように適用した、本発明の傘スリーブ手段に係る第１の好ましい実施形態が示されている。傘スリーブ手段は、中棒（ｃｅｎｔｒａｌ  ｓｈａｆｔ）１の周りに周状に配置されるロクロスリーブ（ｒｕｎｎｅｒ  ｓｌｅｅｖｅ）１１を有し、ロクロスリーブ１１は、スリーブ上端部１１ｕを有する。
【００１４】
図示する多段折畳み式傘は、三段の折り畳み式の傘であり、中棒１と、ロクロ（ｒｕｎｎｅｒ）３および中棒１のトップ部にピボット式に固定され傘地をピボット的に固定するための骨アセンブリ２とを有する。
【００１５】
中棒１は、入れ子式に相互に連結自在となった上層管１２、中層管１３および下層管１４を有する。中棒１はさらに、傘を閉じるときに引っ込められて折り畳まれるときに、中棒１の縦軸Ｘの周りで、上層管１２、中層管１３および下層管１４の周りに配置されるロクロスリーブ１１を有する。ロクロスリーブ１１および上層管１２の両者は、骨アセンブリ２の上部ノッチ２０に固定されるそれらの上端部を有する。
【００１６】
骨アセンブリ２は、上部ノッチ２０にピボット式に固定される親骨（ｔｏｐ  ｒｉｂ）２１と、ロクロ３にピボット式に連結される内方部および親骨２１の外方部にピボット式に連結される中間部を備える受骨（ｓｔｒｅｔｃｈｅｒ  ｒｉｂ）２２と、受骨２２の外方部にピボット式に連結されるとともに連結骨（ｃｏｎｎｅｃｔｉｎｇ  ｒｉｂ）２４を介して親骨２１にピボット式に連結される内方部を備える中間骨（ｉｎｔｅｒｍｅｄｉａｔｅ  ｒｉｂ）２３と、中間骨２３にピボット式に連結されるテール骨（ｔａｉｌ  ｒｉｂ）２５とを有する。但し、傘を折り畳む段数は、本発明においては限定されない。
【００１７】
ロクロスリーブ１１および上層管１２は、それらの間に、傘を閉じるときに中層管１３および下層管１４を受け入れるための環状の窓Ｓを定める。ロクロスリーブ１１の上端部１１ｕは、上部ノッチ２０に固定される。
【００１８】
ロクロスリーブ１１は、突出部１１１の部分的な輪郭に沿ってロクロスリーブ１１にスリット１１２をカットすることによって、弾性を有する突出部１１１が当該ロクロスリーブ１１上に一体的に形成され得る。弾性突出部１１１は、通常、中棒１の縦軸Ｘから外方に向けて突き出て、傘を開いておくためにロクロ３をロックするため、ロクロ３内に形成されたソケット３３０に係合している。図３に示すように、弾性突出部１１１は、傘を閉じるためにロクロ３によって押されたときに、ロクロスリーブ１１と上層管１２との間の窓ないし開口部（ａｐｅｒｔｕｒｅ）（あるいはスロット）Ｓの中に内方に押し下げられ得る。
【００１９】
ロクロスリーブ１１は、プラスチック材料あるいは他の適切な材料から作ることができる。弾性突出部１１１は、下部と、上部とを備える。弾性突出部１１１の下部は、傘を開くためにロクロ３を上げるときに、突出部１１１がロクロ３におけるソケット３３０と係合することを許容するように、ロクロ３の中央リング３２０によって内方へ押される傾斜面に形成されている。また、弾性突出部１１１の上部は、好ましくは、傘を開いたときに、ロクロ３内に凹所を作ったソケット３３０に係合される直角あるいは曲げられた部分となるように形成されている。
【００２０】
ロクロ３は、シリンダ部３１と、フェルール（ｆｅｒｒｕｌｅ）３２と、円柱状カップリング３３とを有する。シリンダ部３１は、ロクロスリーブ１１にスライド自在に連結する中央開口３１０を有する。フェルール３２は、シリンダ部３１の上部に形成され、骨アセンブリ２の受骨２２をピボット式に連結する。円柱状カップリング３３は、シリンダ部３１にスライド自在に連結するとともにシリンダ部３１の周りに配置され、傘を開くときにロクロスリーブ１１上に形成された弾性突出部１１１を係合するために当該円柱状カップリング３３内に凹所を形成してなるソケット３３０を有する。
【００２１】
フェルール３２は、中央開口３１０の周りに配置されロクロスリーブ１１にスライド自在に連結する中央リング３２０を有する。したがって、傘を開くためにロクロ３を持ち上げると、中央リング３２０が弾性突出部１１１を押し下げ、フェルール３２が突出部１１１を通り過ぎることが許容され、それから、突出部１１１がロクロ３のソケット３３０と係合するように外方に弾性的に突き出るであろう。これにより、傘を安定して開いておくために、突出部１１１の上にロクロ３がロックされる。
【００２２】
シリンダ部３１は、円柱状溝３１２と、底部フランジ３１１と、スロット３１３とが形成されている。円柱状溝３１２は、当該円柱状溝３１２内に円柱状カップリング３３をスライド自在に連結する。底部フランジ３１１は、シリンダ部３１の底部に形成され、円柱状カップリング３３がシリンダ部３１から下方に脱落することがないように当該円柱状カップリング３３の移動を制限している。スロット３１３は、シリンダ部３１を貫通して切開され、傘を開くと、弾性突出部１１１がロクロスリーブ１１から外方に突き出て、ロクロ３の円柱状カップリング３３内に凹所を形成してなるソケット３３０と係合する（図２参照）。
【００２３】
円柱状カップリング３３は、内方拡張部３３２と、ソケット３３０とを有する。内方拡張部３３２は、カップリング３３の内壁に円周上に形成され、シリンダ部３１の円柱状溝３１２にスライド自在に係合する。ソケット３３０は、内方拡張部３３２と傾斜部３３１との間で、カップリング３３内に凹所を形成してなる。傾斜部３３１は、中棒１の縦軸Ｘの方に向けて上方かつ内方へと傾いており、傘を閉じる（図２の状態から図３の状態）ためにロクロ３を降下するときに、弾性突出部１１１からソケット３３０を外すために弾性突出部１１１を内方へ押す。内方拡張部３３２は、シリンダ部３１の底部フランジ３１１によって下方への移動が制限され（図３）、傘を閉じるためにロクロ３を降下するときに、シリンダ部３１から円柱状カップリング３３が分離することを防止する。
【００２４】
ロクロスリーブ１１は、それぞれの管１２、１３、１４の長さのように、中棒１のそれぞれの管の長さにほぼ等しい長さ（上端部１１ｕと底部１１ｂとの間）を有する。
【００２５】
傘を閉じる際、中層管１３および下層管１４は、ロクロスリーブ１１と上層管１２との間の窓ないし開口部（あるいはスロット）Ｓ内に引っ込められ受け入れられる。「ロクロスリーブ」１１は、ロクロ３を円滑に摺動して係合させ、あるいはガイドするために備えられており、それゆえ、「ロクロスリーブ」と定義されている。
【００２６】
図４〜図８に示すように、本発明の他の好ましい実施形態には、上述したロクロスリーブ１１を短くしたものが開示される。
【００２７】
図５に示される短くされたロクロスリーブ１１は、当該ロクロスリーブ１１に形成された弾性突出部１１１が、傘を開くためにロクロ３内のソケット３３０に係合することができるのに十分な長さを有する。短くされたロクロスリーブ１１は、当該ロクロスリーブ１１の下部に形成されるとともに縦軸Ｘに向けて下方へテーパを付けられた下部ガイド部分１１ｇを有し、図７の状態から図４の状態に傘を開くためにロクロ３を持ち上げるときに、ロクロ３が突出部１１１に係合されるようにガイド部分１１ｇを乗り越えて円滑に通り過ぎるようにしてある。
【００２８】
図５に示すように、ロクロスリーブ１１に形成された下部ガイド部分１１ｇは、傘を開くために持ち上げられるロクロ３を円滑にガイドするために、縦軸Ｘと第１の鋭角Ａをなして外挿的に交差するように、下方に向けてテーパが付けられている。ロクロスリーブ１１はまた、ロクロスリーブ１１の底部に形成されるとともに縦軸Ｘと第２の鋭角Ｂをなして外挿的に交差するように上方に向けてテーパが付けられているテーパ状底端部１１ｂを有する。底端部１１ｂは、上層管１２の外側管表面に近接あるいは弾性的に接触する状態にある。ロクロスリーブ１１は、下部ガイド部分１１ｇに切り欠かれた多数のカッティングスリット１１ｓを有する（図６における破線参照）。それによって、上層管１２とロクロスリーブ１１との間の窓ないし開口部Ｓの中に中層管１３および下層管１４を引っ込ませる際、中層管１３あるいは下層管１４は、複数のカッティングスリット１１ｓを形成することに起因する「チャック」のように作用するロクロスリーブ１１におけるわずかに膨張している下部ガイド部分１１ｇによって、スロットＳの中に受け入れられるように、テーパの付いた底端部１１ｂによって円滑にガイドされることになる（図８および図７参照）。
【００２９】
図４の状態から図７の状態に傘を閉じる際、ロクロ３は、中棒１に向けて骨アセンブリ２を引っ込ませるために、弾性突出部１１１からソケット３３０を外すために降下される。窓ないし開口部Ｓの中に中層管１３、下層管１４を引っ込ませた後（図７）、それから、傘は完全に折り畳まれるだろう。
【００３０】
カップリング３３を完全に握って傘を開くためにロクロ３を持ち上げるときでさえ、ロクロ３は、傘を安定して開くために、間違いなく確実に突出部１１１に係合される。カップリング３３は、突出部１１１を内方に（中心に向けて）押すことなく、下方に引っ張られたり、上方に持ち上げられたりするからである。
【００３１】
ロクロ３をまさに降下して傘を閉じるとき、いかなる押し下げ動作をも必要とすることなく、迅速に人間工学的に傘を閉じることができる。弾性突出部１１１は、その製造を単純化し費用を低くするために、ロクロスリーブ１１に直接的、一体的に形成されている。
【００３２】
図９〜図１１を参照して、多段折畳み式傘は、五段に畳まれる中棒１および四段に折り畳まれる骨アセンブリ２に改変されている。
【００３３】
中棒１は、入れ子式に相互に連結自在となった上層管１２、中層管１３、下層管１４、第２の下層管１５、および最下層管１６を有する。
【００３４】
骨アセンブリ２は、親骨２１と、受骨２２と、中間骨２３と、テール骨２５とを有する。親骨２１は、中棒１のトップ部に形成される上部ノッチ２０にピボット式に連結される。受骨２２は、親骨２１およびロクロスリーブ１１に摺動可能に保持されたロクロ３にピボット式に連結され、ロクロスリーブ１１は、中棒１のトップ部あるいは上部ノッチ２０に固定される上端部１１ｕを有する。中間骨２３は、受骨２２にピボット式に連結されるとともに連結骨２４を介して親骨２１にピボット式に連結される。テール骨２５は、補助中間骨２３ａおよび外方スプリングリブ２６のそれぞれを介して中間骨２３にピボット式に連結される。また、内方スプリングリブ２４ａは、中間骨２３と並置され、受骨２２と補助中間骨２３ａとの間にピボット式に連結される。但し、多段折畳み式骨アセンブリ２はさらに改変ないし配列することができ、本発明において限定されるものではない。
【００３５】
ロクロスリーブ１１は、当該ロクロスリーブ１１から外方に向けて直接に付勢される弾性突出部１１１を有するように改変されている。弾性突出部１１１は、中棒１の縦軸Ｘから外れるように上方かつ外方へと傾けられ、傘を開いたときに、ロクロ３に形成されたソケット３３０ａに係合する。
【００３６】
弾性突出部１１１は、ロクロスリーブ１１に一体的に形成され、ロクロスリーブ１１に切開されたスリット１１２に沿ってロクロスリーブ１１から外方かつ上方に向けて付勢される。突起１１１はまた、プラスチックモールドプロセスあるいはプラスチック処理などの樹脂成形によって、ロクロスリーブ１１に一体的に形成され得るが、本発明において制限されるものではない。
【００３７】
ロクロ３、またはいわゆる安全ロクロ３は、特に図１０に示すように、押ボタン３３ａと、ソケット３３０ａと、保護延長部３３ｃと、フィンガー凹所３３ｆとを含むように改変されている。押ボタン３３ａは、弾力あるリンク部材３３ｂによってロクロ３に弾性的に形成され、ロクロ３と一体的に形成される。ソケット３３０ａは、傘を閉じるときに押ボタン３３ａによって内方に押し下げられ得る突起１１１を係合するために、ロクロ３に形成される。保護延長部３３ｃは、押ボタン３３ａの周りを囲むように配置され、利用者の手による予期しない内方への動き（大きいエリアの押し下げ）を阻止して、傘を開いたときのロクロ３と弾性突出部１１１との信頼性が高い係合を確実なものとしている。フィンガー凹所３３ｆは、保護延長部３３ｃの下部に凹所を設けてなるものであり、傘を開くために持ち上げるときに、利用者の指Ｈによって、ロクロ３の上方への快適な人間工学的な押し付け（Ｕ）に適合されている。
【００３８】
傘を閉じる場合、傘を閉じるためのロクロ３の自由な下降を許容するのに、ロクロ３のソケット３３０ａから弾性突出部１１１を外すために、例えば、利用者の親指によって、押ボタン３３ａを内方へ押し下げることができる（図１０、符号Ｄ参照）。
【００３９】
図１２〜１５を参照して、押ボタンは、ロクロに形成したボタン孔内に摺動可能に保持される押ボタン３３ａに改変され、押ボタン３３ａは、傘を閉じる際にロクロを下降するために弾性突出部１１１からロクロ３を外すように弾性突出部１１１を内方へ押し下げる。ロクロはさらに、保護延長部３３ｃと、フィンガー凹所３３ｆとを含む。保護延長部３３ｃは、押ボタン３３ａの周りを囲むように配置され、利用者の手による押ボタン３３ａに対する予期しない大きいエリアの押し下げを阻止する。フィンガー凹所３３ｆは、傘を開くために持ち上げるときに（図１３、１５）、ロクロ３の人間工学的な保持のために、保護延長部３３ｃに凹所を設けてなる。
【００４０】
本発明はさらに、中棒１の下部（１ｄ）に形成ないし配置される下部ロクロスリーブ１１’を含んでいる。下部ロクロスリーブ１１’は、当該下部ロクロスリーブ１１’に弾性的に形成された下部弾性突出部１１１’を有し、この下部弾性突出部１１１’は、傘を閉じるためにロクロ３を下げたときに、当該ロクロ３の押ボタン３３ａと係合する（図１４）。ところで、中棒１の上部１ｕに形成されたロクロスリーブ１１は、傘を開くためにロクロ３を持ち上げたときに、当該ロクロ３を係合するために提供ないし備えられている。一方、傘を閉じるためにロクロ３を下げたときに、当該ロクロ３を係合するために、中棒１の下部１ｄに下部ロクロスリーブ１１’が提供ないし備えられている。
【００４１】
図１２に示される中棒１は、中実の棒である。図１２に示される傘は、単一ないし一段に畳まれる傘であり、単一ないし一段に畳まれる中棒１と、単一ないし一段に折り畳まれる骨アセンブリ２とを有する。骨アセンブリ２は、親骨２１および受骨２２を有する。
【００４２】
本発明のさらに他の実施形態が図１６に示される。この実施形態にあっては、中棒１は中空の棒であり、ロクロスリーブ１１は中空棒１上に配置される。
【００４３】
ロクロスリーブ１１の長さは、本発明において、制限されない。
【００４４】
ロクロスリーブ１１が十分に長いならば、その長いロクロスリーブ１１は、中空中棒１と置き換えるために提供されるであろう。傘を開くときに、ロクロスリーブ１１に形成した突起１１１にロクロ３を係合させるため、ロクロスリーブ１１上でロクロ３を摺動可能にガイドする。費用を節約するために、中棒１は、なくされ、ロクロスリーブ１１によって置き換えられる。
【００４５】
本発明は、上述した実施形態に限定されるものではなく、本発明の趣旨および範囲から逸脱することなく、種々改変することができる。
【００４６】
本発明は、従来のものに比べて、次のような利点を有する。
【００４７】
１．傘を安定して開くためにロクロ３を係合するための弾性突出部１１１が、突起１１１とロクロ３のソケット３３０との間の信頼性が高い係合を確実にするために、ロクロスリーブ１１に形成されている。すなわち、ロクロ３とロクロスリーブ１１との間には、いかなる大きな開口部も形成されない。これによって、傘を安定して開いておくための、ロクロスリーブ１１上にロクロ３を係合する信頼性が増大する。
【００４８】
２．ロクロスリーブ１１は、多段折畳み式傘（図１〜１１）や、単一ないし一段で畳まれる傘（図１２〜１６）のいずれにも適応させることができ、それゆえ、ロクロスリーブ１１の商業的な価値が増大する。
【００４９】
３．本発明の突起１１１は、従来の留め具ないしスプリングキャッチと比べて、かなり小さく（より短い力アーム（ｓｈｏｒｔｅｒ  ｆｏｒｃｅ  ａｒｍ）を有する）、傘に作用する外力による影響をたやすく受けることがなく、傘を安定して開いておくことができる。
【００５０】
４．突起１１１は、ロクロスリーブ１１に一体的にまたは直接的に形成され得る。したがって、傘の製造費用を、非常に減らすことができる。
【００５１】
５．より安全に、かつ、人間工学的に操作し得る安全ロクロを提供できる。
【００５２】
なお、傘を急速に閉じるために骨アセンブリ２を折り畳んだり引っ込めたりすることの助けあるいは容易にするための多くの従来の機構またはデバイスが既に開発されている。それゆえ、かかる機構またはデバイスについては本明細書においては説明を省略してある。
【図面の簡単な説明】
【００５３】
【図１】本発明の実施形態に係る傘が広げられた状態を一部断面で示す図である。
【図２】ロクロスリーブとロクロとの係合状態を示す、図１の部分拡大断面図である。
【図３】図２に示される状態から傘を閉じるためにロクロを降下させている状態を示す断面図である。
【図４】本発明の他の実施形態に係る傘が広げられた状態を一部断面で示す図である。
【図５】ロクロスリーブとロクロとの係合状態を示す、図４の部分拡大断面図である。
【図６】図５に示される状態から傘を閉じるためにロクロを降下させている状態を示す断面図である。
【図７】中棒の管を引っ込ませることによって閉じられた傘を一部断面で示す図である。
【図８】図７の部分拡大断面図である。
【図９】本発明のさらに他の実施形態に係る傘が広げられた状態を一部断面で示す図である。
【図１０】ロクロスリーブおよびロクロを示す、図９の部分拡大断面図である。
【図１１】図９に示されるロクロを示す斜視図である。
【図１２】本発明のさらに他の実施形態に係る傘が広げられた状態を一部断面で示す図である。
【図１３】ロクロスリーブおよびロクロを示す、図１２の部分拡大断面図である。
【図１４】図１２に示される状態から傘を閉じるときに中棒の下部に設けられた下側スリーブとロクロとの係合状態を示す部分拡大断面図である。
【図１５】図１２に示されるロクロを示す斜視図である。
【図１６】本発明のさらに他の実施形態に係る傘が広げられた状態を一部断面で示す図である。
【符号の説明】
【００５４】
１      中棒、
１１    ロクロスリーブ、
１１’  下部ロクロスリーブ、
１１１  突起、突出部、弾性突出部、
１１１’  下部弾性突出部、
１１２  スリット、
１１３  下部弾性突出部、
１１４  スリット、
１１ｂ  テーパ状底端部、
１１ｇ  下部ガイド部分、
１１ｓ  カッティングスリット、
１２    上層管、
１３    中層管、
１４    下層管、
２      骨アセンブリ、
２０    上部ノッチ、
２１    親骨、
２２    受骨、
２３    中間骨
２４    連結骨
２５    テール骨
３      ロクロ、安全ロクロ
３１    シリンダ部、
３１０  中央開口、
３１１  底部フランジ、
３１２  円柱状溝、
３１３  スロット、
３２    フェルール、
３２０  中央リング、
３３    円柱状カップリング、
３３ａ  押ボタン
３３ｃ  保護延長部
３３ｆ  フィンガー凹所
３３０  ソケット、
３３１  傾斜部、
３３２  内方拡張部、
Ａ      第１の鋭角、
Ｂ      第２の鋭角、
Ｓ      窓、開口部、スロット、
Ｘ      縦軸。
【図１】
2006110317.tif 000003
【図２】
2006110317.tif 000004
【図３】
2006110317.tif 000005
【図４】
2006110317.tif 000006
【図５】
2006110317.tif 000007
【図６】
2006110317.tif 000008
【図７】
2006110317.tif 000009
【図８】
2006110317.tif 000010
【図９】
2006110317.tif 000011
【図１０】
2006110317.tif 000012
【図１１】
2006110317.tif 000013
【図１２】
2006110317.tif 000014
【図１３】
2006110317.tif 000015
【図１４】
2006110317.tif 000016
【図１５】
2006110317.tif 000017
【図１６】
2006110317.tif 000018